(57)【特許請求の範囲】
【請求項１】
プロセッサ及び記憶装置と、
電力需要の実績値である時系列データを記憶する時系列データ記憶部と、
第１の前記時系列データと第２の前記時系列データとが類似する度合いを時間帯別に評価した値である時間帯別評価値を求める時間帯別評価値算出部と、
前記時間帯の夫々について設定された重みである時間帯別影響度を記憶する時間帯別影響度記憶部と、
前記時間帯別評価値の夫々を、夫々について設定された前記時間帯別影響度で重み付けして得られる値を、前記第１の時系列データと前記第２の時系列データの類似度として求める類似度算出部と、
前記類似度が予め設定されている閾値を超えている前記第２の時系列データを、前記時系列データ記憶部が記憶している前記第１の時系列データに類似する前記時系列データとして選出する、時系列データ選出部と、
前記第１の時系列データ及び前記時系列データ選出部が選出した前記時系列データのうちの少なくとも何れかを用いて電力需要を予測する、電力需要予測部と、
備える、電力需要予測装置。
【請求項２】
請求項１に記載の電力需要予測装置であって、
前記類似度は、その値が大きい程、類似する度合いが高くなる特性を有し、
前記時間帯別評価値は、その値が小さい程、類似する度合いが高くなる特性を有し、
前記時間帯別評価値を、その値が大きい程、類似の度合いが高くなる特性を有する指標に変換する変換処理部を更に備え、
前記類似度算出部は、前記指標の夫々を、夫々に対応する時間帯について設定された前記時間帯別影響度により重み付けして得られる値を前記類似度として求める、
電力需要予測装置。
【請求項３】
プロセッサ及び記憶装置を有する情報処理装置が、
電力需要の実績値である時系列データを記憶するステップ、
第１の前記時系列データと第２の前記時系列データとが類似する度合いを時間帯別に評価した値である時間帯別評価値を求めるステップ、
前記時間帯の夫々について設定された重みである時間帯別影響度を記憶するステップ、
前記時間帯別評価値の夫々を、夫々について設定された前記時間帯別影響度で重み付けして得られる値を、前記第１の時系列データと前記第２の時系列データの類似度として求めるステップ、
前記類似度が予め設定されている閾値を超えている前記第２の時系列データを、記憶している前記第１の時系列データに類似する前記時系列データとして選出するステップ、及び、
前記第１の時系列データ及び選出した前記時系列データのうちの少なくとも何れかを用いて電力需要を予測するステップ、
を更に実行する、
電力需要予測方法。
【請求項４】
請求項３に記載の電力需要予測方法であって、
前記類似度は、その値が大きい程、類似する度合いが高くなる特性を有し、
前記時間帯別評価値は、その値が小さい程、類似する度合いが高くなる特性を有し、
前記情報処理装置が、
前記時間帯別評価値を、その値が大きい程、類似の度合いが高くなる特性を有する指標に変換するステップ、及び、
前記指標の夫々を、夫々に対応する時間帯について設定された前記時間帯別影響度により重み付けして得られる値を前記類似度として求めるステップ、
を更に実行する、
電力需要予測方法。
【発明の詳細な説明】
【技術分野】
【０００１】
この発明は、電力需要予測装置、及び電力需要予測方法に関する。
【背景技術】
【０００２】
特許文献１には、電力需要のピーク値又はピーク時間帯をより精度よく予測することを目的として構成された電力需要ピーク予測装置について記載されている。電力需要ピーク予測装置は、予測対象期間の特徴を示す特徴情報を取得し、予測対象期間の特徴情報と同一又は所定の基準において類似する特徴情報を含む一以上の過去データを抽出し、各過去データについて、過去期間における電気使用量のピークを示す電力需要ピーク値又は過去期間において電気使用量が所定の閾値以上となる電力需要ピーク時間帯を特定し、特定された各過去データの電力需要ピーク値又は電力需要ピーク時間帯に基づき、予測対象期間の電力需要ピーク値又は電力需要ピーク時間帯の予測値を算出する。
【０００３】
特許文献２には、電力会社などで毎日の電力需要を予測する電力需要予測支援方法について記載されている。具体的には、過去の負荷データをデータベースに蓄積管理し、現時点での負荷データの入力を受け付け、検索対象期間と現時点以前の所定時間帯の指定とを受け付け、指定時間帯に入力された負荷データと検索対象期間における指定時間帯と同じ時間帯にある過去の負荷データとを比較して指定時間帯に入力された負荷データの変動に類似する過去の負荷データを複数抽出し、過去短時間分の負荷データと、複数の過去の所定時間分の負荷データのそれぞれの変動曲線を表示出力し、表示出力中の複数の過去の負荷変動曲線から特定の曲線を指定する旨の利用者入力を受け付け、当該指定の変動曲線と過去短時間の負荷の変動曲線以外を非表示にすることが記載されている。
【０００４】
特許文献３には、当日の需要曲線に最も近似する過去需要曲線を特定することにより電力需要量の変化を予測する方法について記載されている。具体的には、（ａ）現在時刻までの２時間における当日の電力需要量を５分間隔で求め、（ｂ）電力需要データベースを参照し、過去の任意の時間帯における２時間分の電力需要量を５分間隔で求め、（ｃ）当日の電力需要量と（ｂ）で求めた過去の電力需要量との偏差を求め、（ｄ）偏差の絶対値の和Ｓdを求め、（ｅ）Ｓdが最小になる時間帯における需要曲線を、当日需要曲線に最も近似するものとして特定することが記載されている。
【先行技術文献】
【特許文献】
【０００５】
【特許文献１】特開２０１５−１３９２８３号公報
【特許文献２】特開２００６−１７８８９３号公報
【特許文献３】特開２００５−２２４００２号公報
【発明の概要】
【発明が解決しようとする課題】
【０００６】
安定かつ経済的な電力需給運用を行うためには、電力需要の正確な予測に基づく需給計画の策定が必要である。また昨今の電力システム改革においては計画値同時同量が要請されており、より精度の高い需要予測を行うことが求められている。
【０００７】
一方、再生可能エネルギー、とりわけ太陽光発電の大量導入による昼間需要の変化やヒートポンプ給湯器のような省エネ機器増加による深夜需要の変化等、電力需要カーブの変動要因は多様化しており、電力需要を正確に予測することが難しくなってきている。
【０００８】
特許文献１乃至３に記載されているように、電力需要の予測に際しては、さまざまな予測手法に過去の時系列データが利用されている。しかし膨大な過去の時系列データの中から予測日の電力需要に近い時系列データを、例えば、人間系で探索しようとすれば、大変な時間と労力が必要になる。また予測日の電力需要に近い時系列データを例えば自動で探索しようとすれば、例えば、「特定の時間帯（早朝、昼間、夜間、ピーク時間帯等）において予測日の電力需要に近い時系列データを選択したい」といったユーザのニーズ（探索意図）に細かく対応することが難しくなる。
【０００９】
本発明は、こうした背景に鑑みてなされたもので、多数の時系列データの中からユーザのニーズに合った時系列データを適切に選出し、電力需要予測の多様なニーズに細かく対応することが可能な、電力需要予測装置、及び電力需要予測方法を提供することを目的としている。
【課題を解決するための手段】
【００１０】
上記目的を達成するための本発明のうちの一つは、電力需要予測装置であって、プロセッサ及び記憶装置と、電力需要の実績値である時系列データを記憶する時系列データ記憶部と、第１の前記時系列データと第２の前記時系列データとが類似する度合いを時間帯別に評価した値である時間帯別評価値を求める時間帯別評価値算出部と、前記時間帯の夫々について設定された重みである時間帯別影響度を記憶する時間帯別影響度記憶部と、前記時間帯別評価値の夫々を、夫々について設定された前記時間帯別影響度で重み付けして得られる値を、前記第１の時系列データと前記第２の時系列データの類似度として求める類似度算出部と、を備える。
【００１１】
このように電力需要予測装置は、第１の時系列データと第２の時系列データとが類似する度合いを時間帯別に評価した時間帯別評価値を求めるとともに、求めた時間帯別評価値を時間帯別影響度で重み付けして類似度を求めるので、例えば、ある特定の時間帯（早朝、昼間、夜間、ピーク時間帯等）に類似度の高い時系列データを優先して選出したいといったユーザーニーズ（探索意図）に沿って時系列データを効率よく選出することが可能であり、電力需要予測の多様なニーズに細かく対応することができる。
【００１２】
本発明の他の一つは、上記電力需要予測装置であって、前記類似度は、その値が大きい程、類似する度合いが高くなる特性を有し、前記時間帯別評価値は、その値が小さい程、類似する度合いが高くなる特性を有し、前記時間帯別評価値を、その値が大きい程、類似の度合いが高くなる特性を有する指標に変換する変換処理部を更に備え、前記類似度算出部は、前記指標の夫々を、夫々に対応する時間帯について設定された前記時間帯別影響度により重み付けして得られる値を前記類似度として求める。
【００１３】
このように電力需要予測装置は、時間帯別評価値が、その値が小さい程、類似する度合いが高くなる特性を有している場合、時間帯別評価値を、その値が大きい程、類似の度合いが高くなる特性を有する指標に変換し、指標の夫々を、夫々に対応する時間帯について設定された時間帯別影響度により重み付けして得られる値を類似度として求めるので、その値が大きい程、類似する度合いが高くなる特性となるように類似度を求めることができる。
【００１４】
本発明の他の一つは、上記電力需要予測装置であって、前記類似度が予め設定されている閾値を超えている前記第２の時系列データを、前記時系列データ記憶部が記憶している前記第１の時系列データに類似する前記時系列データとして選出する、時系列データ選出部と、前記第１の時系列データ及び前記時系列データ選出部が選出した前記時系列データのうちの少なくとも何れかを用いて電力需要を予測する、電力需要予測部と、を更に備える。
【００１５】
本発明によれば、ユーザーニーズ（探索意図）に沿って選出された時系列データを用いて、電力需要予測の多様なニーズに細かく対応しつつ精度よく電力需要を予測することができ、ひいては経済的な系統運用の実現やインバランス（消費電力量と発電電力量との差分）の低減を図ることができる。
【００１６】
その他、本願が開示する課題、及びその解決方法は、発明を実施するための形態の欄、及び図面により明らかにされる。
【発明の効果】
【００１７】
本発明によれば、多数の時系列データの中からユーザのニーズに合った時系列データを適切に選出し、電力需要予測の多様なニーズに細かく対応することができる。
【図面の簡単な説明】
【００１８】
【図１】電力需要予測装置１０が備える主なハードウェアを示す図である。
【図２】電力需要予測装置１０が備える主な機能及び電力需要予測装置１０が記憶する主な情報を示す図である。
【図３】電力需要予測処理Ｓ３００を説明するフローチャートである。
【図４】第１の時系列データ及び第２の時系列データの例を示すグラフである。
【図５】時間帯別平均値の指標への変換に用いるグラフ（変換式）の一例である。
【発明を実施するための形態】
【００１９】
以下、本発明の一実施形態について図面を参照しつつ説明する。
【００２０】
図１に一実施形態として示す電力需要予測装置１０が備える主なハードウェアを、図２に電力需要予測装置１０が備える主な機能及び電力需要予測装置１０が記憶する主な情報を示している。電力需要予測装置１０は、情報処理装置（パーソナルコンピュータ、ワークステーション、メインフレーム等）を用いて構成されている。電力需要予測装置１０は、例えば、電力会社の中央給電指令所等に設置される。
【００２１】
電力需要予測装置１０は、電力需要の実績値である時系列データに基づき、例えば、時系列分析（Time Series Analysis）、回帰分析、ニューラルネットワークによる分析等を行うことにより電力需要を予測する。電力需要予測装置１０は、蓄積している時系列データの中から電力需要の予測に用いる時系列データとして適切なものを選出し、選出した時系列データを用いて電力需要を予測する。
【００２２】
上記選出に際し、電力需要予測装置１０は、例えば、電力需要を予測しようとする日（以下、予測日と称する）と、カレンダ情報（曜日、祝祭日、季節（シーズン）等の情報）、気象情報（気温、湿度、風速、日射量等）、及び経済情報（景気動向等）等の条件が一致又は類似する過去の日（以下、過去日と称する。）を基準日とし、基準日の時系列データ（以下、第１の時系列データとも称する。）に類似する時系列データを選出し、第１の時系列データ及び選出した一つ以上の時系列データのうち少なくとも何れかを用いて予測日の電力需要を予測する。尚、基準日は、例えば、人間系により手動で設定する。
【００２３】
電力需要予測装置１０は、第１の時系列データに類似する時系列データの上記選出に際し、第１の時系列データと当該第１の時系列データと比較する（類否判断の対象とする）データ（以下、第２の時系列データとも称する。）とが類似する度合いを予め設定された時間帯別に評価した値である、時間帯別評価値を求める。尚、第２の時系列データは、電力需要予測装置１０が、カレンダ情報、気象情報、及び経済情報等の条件の一致性又は類似性に基づき自動で設定してもよいし、人間系により手動で設定してもよい。
【００２４】
電力需要予測装置１０は、上記時間帯別評価値を上記時間帯別に設定された時間帯別影響度で重み付けして得られる値を、第１の時系列データと第２の時系列データの類似度として求める。そして電力需要予測装置１０は、例えば、上記類似度が予め設定されている閾値を超えている第２の時系列データを、第１の時系列データに類似する時系列データとして選出する。尚、時間帯別影響度は、例えば、人間系により手動で設定する。
【００２５】
このように、電力需要予測装置１０は、第１の時系列データと第２の時系列データとが類似する度合いを時間帯別に評価した時間帯別評価値を求め、求めた時間帯別評価値を時間帯別影響度で重み付けして類似度を求め、上記類似度が予め設定されている閾値を超えている第２の時系列データを、第１の時系列データに類似する時系列データとして選出するので、例えば、「ある特定の時間帯（早朝、昼間、夜間、ピーク時間帯等）に類似度の高い時系列データを優先して選出したい」といったユーザのニーズ（探索意図）に沿って時系列データを選出することができ、選出した時系列データを用いて電力需要を予測することで、電力需要予測の多様なニーズに細かく対応することができる。
【００２６】
図１に示すように、電力需要予測装置１０は、プロセッサ１１、記憶装置１２、入力装置１３、出力装置１４、及び通信装置１５を備える。プロセッサ１１は、例えば、ＣＰＵ（Central Processing Unit）やＭＰＵ（Micro Processing Unit）を用いて構成されている。記憶装置１２は、ＲＡＭ（Random Access Memory）、ＲＯＭ（Read Only Memory）、ＮＶＲＡＭ（Non Volatile RAM）、ハードディスクドライブ、ＳＳＤ（Solid State Drive）等であり、プログラムやデータを記憶する。
【００２７】
入力装置１３は、情報の入力を行うユーザインタフェース（キーボード、マウス等）である。出力装置１４は、各種の情報をユーザに提供するユーザインタフェースであり、例えば、液晶モニタ、印字装置等である。通信装置１５は、ＮＩＣ（Network Interface Card）等の通信インタフェースを用いて構成され、他の装置（例えば、監視制御システム、系統制御システム、配電自動化システム、各種データベースシステム、インターネット上のＷｅｂサーバ等）と通信する。
【００２８】
図２に示すように、電力需要予測装置１０は、時系列データ記憶部２１１、時間帯別評価値算出部２１２、時間帯別影響度記憶部２１３、変換処理部２１４、類似度算出部２１５、時系列データ選出部２１６、及び電力需要予測部２１７の各機能を備える。尚、電力需要予測装置１０は、更にＤＢＭＳ（DataBase Management System）の機能を備えていてもよい。これらの機能は、プロセッサ１１が、記憶装置１２に格納されているプログラムを実行することにより、もしくは電力需要予測装置１０が備えるハードウェアにより実現される。
【００２９】
同図に示すように、電力需要予測装置１０は、時系列データ２５１、時間帯別影響度２５２、カレンダ情報２７１（曜日、祝祭日、季節（シーズン）等の情報）、気象情報２７２（少なくとも時系列データ２５１に対応する各日の気象情報（気温、湿度、風速、日射量等）を含む）、及び経済情報２７３（時系列データ２５１に対応する数年分の景気動向等）を記憶する。電力需要予測装置１０は、カレンダ情報２７１、気象情報２７２、及び経済情報２７３を、例えば、インターネットを介して取得し、これらの情報を、例えば、データベースのテーブルとして管理する。
【００３０】
上記機能のうち、時系列データ記憶部２１１は、中央給電指令所において動作する他のシステム等によって随時取得される、過去所定年数前から現在までの各日の電力需要（電力消費量）の実績値である時系列データ２５１（例えば、時間単位、分単位、秒単位等の所定の時間間隔で取得されたデータ）を記憶する。尚、各時系列データ２５１には夫々が取得された日時を示す情報が付帯する。
【００３１】
時間帯別評価値算出部２１２は、基準日の時系列データである第１の時系列データと、当該第１の時系列データの比較対象とする時系列データである第２の時系列データとが類似する度合いを時間帯別に評価した値である時間帯別評価値を求める。尚、上記時間帯は、例えば、人間系によって予め電力需要予測装置１０に設定される。
【００３２】
時間帯別影響度記憶部２１３は、上記時間帯の夫々について設定された重みである時間帯別影響度２５２を記憶する。
【００３３】
変換処理部２１４は、第１の時系列データと第２の時系列データの類似度が、その値が大きい程、類似する度合いが高くなる特性を有しており、また時間帯別評価値が、その値が小さい程、類似する度合いが高くなる特性を有している場合に、時間帯別評価値を、その値が大きい程、類似の度合いが高くなる特性を有する指標に変換する。変換処理部２１４による上記変換の詳細については後述する。
【００３４】
類似度算出部２１５は、時間帯別評価値の夫々を、夫々について設定された時間帯別影響度で重み付けして得られる値を、第１の時系列データと第２の時系列データの類似度として求める。例えば、類似度算出部２１５は、時間帯別評価値の夫々を、夫々について設定された時間帯別影響度で重み付けして得られる値を合算した値を、第１の時系列データと第２の時系列データの類似度として求める。
【００３５】
時系列データ選出部２１６は、類似度が予め設定されている閾値を超えている第２の時系列データを、第１の時系列データに類似する時系列データとして選出する。
【００３６】
電力需要予測部２１７は、第１の時系列データ及び時系列データ選出部２１６が選出した第２の時系列データのうち少なくとも何れかを用いて、予測日の電力需要を予測する。例えば、電力需要予測部２１７は、第１の時系列データ及び時系列データ選出部２１６が選出した第２の時系列データの平均値を求めることにより、予測日の電力需要を予測する。また例えば、電力需要予測部２１７は、第１の時系列データ及び時系列データ選出部２１６が選出した第２の時系列データのうち少なくとも何れかに基づき、例えば、時系列分析、回帰分析、ニューラルネットワークによる分析等を行うことにより、予想日の電力需要を予測する。また電力需要予測部２１７は、上記予測に際し、例えば、電力需要に影響を与える因子（例えば、カレンダ情報２７１、気象情報２７２、経済情報２７３）と時系列データとの相関を表す関係式を導出し、導出した関係式を用いて予測日の電力需要を予測する。
【００３７】
［処理例］
続いて、図３に示すフローチャートとともに、電力需要予測装置１０が電力需要の予測に際して行う処理（以下、電力需要予測処理Ｓ３００と称する。）について説明する。
【００３８】
同図に示すように、電力需要予測装置１０は、まず基準日の時系列データ（第１の時系列データ）を、記憶している時系列データ２５１から取得する（Ｓ３１１）。
【００３９】
続いて、電力需要予測装置１０は、まず記憶している時系列データ２５１の中から、第１の時系列データと異なる時系列データを第２の時系列データとして１つ取得する（Ｓ３１２）。
【００４０】
続いて、電力需要予測装置１０は、取得した第２の時系列データについて時間帯別評価値を求める（Ｓ３１３）。
【００４１】
続いて、電力需要予測装置１０は、求めた時間帯別評価値を前述した指標に変換する（Ｓ３１４）。
【００４２】
続いて、電力需要予測装置１０は、Ｓ３１４で得られた指標を時間帯別影響度で重み付けして得られる値を、第１の時系列データと第２の時系列データの類似度として求める（Ｓ３１５）。例えば、電力需要予測装置１０は、変換した指標を、夫々について設定された時間帯別影響度で重み付けして得られる値を合算した値を上記類似度として求める。
【００４３】
続いて、電力需要予測装置１０は、Ｓ３１５で求めた類似度が、予め設定されている閾値を超えているか否かを判定する（Ｓ３１６）。上記類似度が閾値を超えている場合（Ｓ３１６：ＹＥＳ）、処理はＳ３１７に進む。上記類似度が閾値を超えていない場合（Ｓ３１６：ＮＯ）、処理はＳ３１８に進む。
【００４４】
Ｓ３１７では、電力需要予測装置１０は、取得中の第２の時系列データを電力需要の予測に用いる時系列データとして選出する。例えば、電力需要予測装置１０は、選出した時系列データに当該時系列データを選出した旨を示すフラグを設定する。
【００４５】
Ｓ３１８では、電力需要予測装置１０は、Ｓ３１２において未取得の時系列データがあるか否かを判定する。未取得の時系列データがある場合（Ｓ３１８：ＹＥＳ）、処理はＳ３１２に戻る。未取得の時系列データがない場合（Ｓ３１８：ＮＯ）、処理はＳ３１９に進む。
【００４６】
Ｓ３１９では、電力需要予測装置１０は、第１の時系列データ及び時系列データ選出部２１６が選出した第２の時系列データのうち少なくとも何れかの時系列データを用いて電力需要を予測する。
【００４７】
［具体例］
図４に、第１の時系列データ及び第２の時系列データの例を示す。同図に示すグラフの横軸は時間であり、縦軸は電力需要（任意単位）である。同図において、時系列データＡ（ａ１，ａ２，ａ３，・・・）は第１の時系列データであり、時系列データＢ（ｂ１，ｂ２，ｂ３，・・・）、時系列データＣ（ｃ１，ｃ２，ｃ３，・・・）、及び時系列データＤ（ｄ１，ｄ２，ｄ３，・・・）は、いずれも第２の時系列データである。
【００４８】
同図に示すように、この例では、４つの時間帯（第１時間帯（１時〜７時）、第２時間帯（７時〜１２時）、第３時間帯（１２時〜１８時）、第４時間帯（１８時〜２４時）を設定している。
【００４９】
第１の時系列データ及び第２の時系列データが図４に示すデータで構成される場合、図３の電力需要予測処理Ｓ３００は以下のようにして行われる。
【００５０】
例えば図３のＳ３１３において、電力需要予測装置１０は、各時間帯について、第１の時系列データと第２の時系列データとの距離の二乗和を各時間帯のデータ数で除した値（距離の二乗和平均値）を、各時間帯における時間帯別評価値として求める。即ち、時系列データＢ〜Ｄの時間帯別評価値を夫々、（時間帯別評価値ｂ）、（時間帯別評価値ｃ）、（時間帯別評価値ｄ）とすれば、これらは次のようにして求められる。
0006679980.tif 000002
【００５１】
図３のＳ３１４において、電力需要予測装置１０は、例えば、図５に示すグラフを用いて時間帯別評価値を指標に変換する。尚、上記変換に用いるグラフは、時間帯別評価値を、その値が大きい程、類似の度合いが高くなる特性を有する指標に変換するものであればよく、例えば、「（時間帯別評価値ｄ）＞（時間帯別評価値ｃ）＞（時間帯別評価値ｂ）」の関係である場合、上記変換に用いるグラフは、例えば、最大値が１となるようにした次のような直線でもよい。
指標＝−１．０×時間帯別評価値／（時間帯別評価値ｄ）＋１
【００５２】
図３のＳ３１５において、電力需要予測装置１０は、例えば、次の式から類似度を求める。
類似度（一般式）＝第１時間帯の指標×第１時間帯の時間帯別影響度数
＋第２時間帯の指標×第２時間帯の時間帯別影響度数
＋第３時間帯の指標×第３時間帯の時間帯別影響度数
＋第４時間帯の指標×第４時間帯の時間帯別影響度数
【００５３】
例えば、時間帯別影響度数が次のように設定されており、
第１時間帯の時間帯別影響度数＝０．５
第２時間帯の時間帯別影響度数＝０．７
第３時間帯の時間帯別影響度数＝１．０
第４時間帯の時間帯別影響度数＝０．３
【００５４】
第２の時系列データの夫々の指標が次のように求められている場合、
時系列データＢ：第１時間帯の指標＝０．５
第２時間帯の指標＝０．７
第３時間帯の指標＝０．５
第４時間帯の指標＝０．０
時系列データＣ：第１時間帯の指標＝０．３
第２時間帯の指標＝０．６
第３時間帯の指標＝０．７
第４時間帯の指標＝０．５
時系列データＤ：第１時間帯の指標＝０．０
第２時間帯の指標＝０．０
第３時間帯の指標＝０．０
第４時間帯の指標＝０．６
【００５５】
類似度は、次のようにして求められる。
時系列データＢの類似度＝０．５×０．５
＋０．７×０．７
＋０．５×１．０
＋０．０×０．３＝１．２４
時系列データＣの類似度＝０．３×０．５
＋０．６×０．７
＋０．７×１．０
＋０．５×０．３＝１．４２
時系列データＤの類似度＝０．０×０．５
＋０．０×０．７
＋０．０×１．０
＋０．６×０．３＝０．１８
【００５６】
尚、この例では、「時系列データＣの類似度＞時系列データＢの類似度＞時系列データＤの類似度」の関係であるので、例えば、図３のＳ３１６の閾値が１．０に設定されているとすれば、図３のＳ３１７において、電力需要予測装置１０は、電力需要の予測に用いる時系列データとして、時系列データＣ及び時系列データＢを選出する。
【００５７】
以上に説明したように、本実施形態の電力需要予測装置１０は、第１の時系列データと第２の時系列データとが類似する度合いを時間帯別に評価した時間帯別評価値を求めるとともに、求めた時間帯別評価値を時間帯別影響度で重み付けして類似度を求めるので、例えば、ある特定の時間帯（早朝、昼間、夜間、ピーク時間帯等）に類似度の高い時系列データを優先して選出したいといったユーザのニーズ（探索意図）に沿って時系列データを効率よく選出することができ、電力需要予測の多様なニーズに細かく対応することができる。
【００５８】
また電力需要予測装置１０は、時間帯別評価値が、その値が小さい程、類似する度合いが高くなる特性を有している場合、時間帯別評価値を、その値が大きい程、類似の度合いが高くなる特性を有する指標に変換し、指標の夫々を夫々に対応する時間帯について設定された時間帯別影響度により重み付けして得られる値を類似度として求めるので、その値が大きい程、類似する度合いが高くなる特性となるように類似度を求めることができる。
【００５９】
また電力需要予測装置１０は、ユーザーニーズ（探索意図）に沿って選出された時系列データを用いて電力需要を予測するので、電力需要予測の多様なニーズに細かく対応しつつ精度よく電力需要を予測することができ、ひいては経済的な系統運用の実現やインバランス（消費電力量と発電電力量との差分）の低減を図ることができる。
【００６０】
ところで、以上の説明は、本発明の理解を容易にするためのものであり、本発明を限定するものではない。本発明はその趣旨を逸脱することなく、変更、改良され得ると共に本発明にはその等価物が含まれることは勿論である。
【００６１】
例えば、予測日の開始時は必ずしも午前零時でなくてもよく、例えば、予測日の開始時を前日の午後零時としてもよい。また予測日の終了時は必ずしも午前零時でなくてもよく、例えば、予測日の終了時を翌日の午後零時としてもよい。
【符号の説明】
【００６２】
１０  電力需要予測装置、２１１  時系列データ記憶部、２１２  時間帯別評価値算出部、２１３  時間帯別影響度記憶部、２１４  変換処理部、２１５  類似度算出部、２１６  時系列データ選出部、２１７  電力需要予測部、２５１  時系列データ、２５２  時間帯別影響度、Ｓ３００  電力需要予測処理
【図１】
0006679980.tif 000003
【図２】
0006679980.tif 000004
【図３】
0006679980.tif 000005
【図４】
0006679980.tif 000006
【図５】
0006679980.tif 000007